(57)【要約】【課題】オーバーヘッドモジュールに設けられた室内灯目掛けて車室内に虫が侵入した場合であっても、その虫がオーバーヘッドモジュール内に侵入して人侵入検知センサが誤動作するのを防止することができるオーバーヘッドモジュールの提供。【解決手段】自動車の車室内の動く物体を検知する人侵入検知センサを内部に備えたオーバーヘッドモジュールであって、人侵入検知センサの検知領域側部分を覆う部分が、虫忌避剤または殺虫剤を含有する合成樹脂で成型される。【選択図】図２
2009274624.tif 000002
【特許請求の範囲】
【請求項１】
自動車の車室内の動く物体を検知する人侵入検知センサを内部に備えたオーバーヘッドモジュールであって、
前記人侵入検知センサの検知領域側部分を覆う部分が、虫忌避剤または殺虫剤を含有する合成樹脂で成型されている、オーバーヘッドモジュール。
【請求項２】
前記検知領域側部分と当該部分を覆う部分の間に空間が形成され、当該空間への虫の侵入経路に面する部分が、虫忌避剤または殺虫剤を含有する合成樹脂で成型されていることを特徴とする、請求項１に記載のオーバーヘッドモジュール。
【請求項３】
自動車の車室内に設けられるオーバーヘッドモジュールを構成し、前記車室内の動く物体を検知する人侵入検知センサを収容保持するための収容部を備えたオーバーヘッドモジュール本体であって、
前記収容部は、前記人侵入検知センサの検知領域側部分を覆う部分が、虫忌避剤または殺虫剤を含有する合成樹脂で成型されていることを特徴とするオーバーヘッドモジュール本体。
【請求項４】
前記検知領域側部分と当該部分を覆う部分の間に空間が形成され、当該空間への虫の侵入経路に面する部分が、虫忌避剤または殺虫剤を含有する合成樹脂で成型されていることを特徴とする、請求項３に記載のオーバーヘッドモジュール本体。
【発明の詳細な説明】
【技術分野】
【０００１】
本発明は、オーバーヘッドモジュールおよびオーバーヘッドモジュール本体に関し、より詳しくは、オーバーヘッドモジュールに設けられた室内灯目掛けて車室内に虫が侵入した場合であっても、その虫がオーバーヘッドモジュール内に侵入して人侵入検知センサが誤動作するのを防止することができるオーバーヘッドモジュールおよびオーバーヘッドモジュール本体に関する。
【背景技術】
【０００２】
近年、防犯のために自動車の車室内に人が侵入したことを検知する人侵入検知センサが搭載された自動車が実用化されている。検知方式としては、例えば、車室内に電波を放射して電波が当たった物体からの反射波の周波数等に基づいて動く物体を検知する電波式、車室内に超音波を放射して超音波が当たった物体からの反射波の周波数等に基づいて動く物体を検知する超音波式がある。
【０００３】
この種の人侵入検知センサは、運転席と助手席の間の天井面に設けられたオーバーヘッドモジュール内に設けられる場合がある。図３は、人侵入検知センサが内蔵されたオーバーヘッドモジュールの一例を示す斜視図である。図４は、図３におけるオーバーヘッドモジュールをＡ−Ａ線で切断したときの端面をＢ方向から見た矢視図である。符号１８はルームミラーを示し、符号１９はサンバイザーを示している。
【０００４】
オーバーヘッドモジュール３０は、図３、４に示されるように、人侵入検知センサ３と、室内灯２と、小物入れ１５と、室内灯操作ボタン１６と、レンズ３１とを備えている。
【０００５】
人侵入検知センサ３は、オーバーヘッドモジュール３０の前後方向中央部に内蔵されており、検知領域側部分６（図４参照）を斜め下方に向けて配置されている。検知領域側部分６からは電波または超音波が放射される。人侵入検知センサ３は駐車中に作動する。人侵入検知センサ３は、電波または超音波を車室内に放射し、車室内の物体からの反射波の周波数や位相等に基づいて、車室内で動く物体を検知する。通常、ユーザが居ない駐車中は、車室内に動く物体は存在しない。よって、駐車中に動く物体が検知されれば、人侵入検知センサ３は人が侵入したと判断し、警報音を出すか或いはセキュリティセンターに通報する。
【０００６】
人侵入検知センサ３の右隣および左隣にはそれぞれ室内灯２が設けられている。人侵入検知センサ３および室内灯２の下方には、人侵入検知センサ３および室内灯２を覆うようにレンズ３１が設けられている。レンズ３１は、室内灯２の光の進行方向を調節するとともに、人侵入検知センサ３を保護する。レンズ３１は、人侵入検知センサ３から放射された電波および超音波を透過することができる。
【０００７】
しかしながら、このオーバーヘッドモジュール３０には、以下のような課題があった。
すなわち、蚊、ハエ、蛾等の虫は光に集まる習性があるため、室内灯２を点灯していると、オーバーヘッドモジュール３０内にこれらの虫が侵入することがある。虫が人侵入検知センサ３の検知領域側部分６とレンズ３１の間の空間８（図４参照）に開口部１１を通じて侵入し（侵入経路９参照）、空間８内で動き回ると、人侵入検知センサ３が動く虫を検知し、人が侵入したと誤判断することがあった。このような誤判断があると、警報音やセキュリティセンターへの通報がなされるため、ユーザは非常に煩わしく感じてしまうという課題があった。
【０００８】
特許文献１には、超音波を自動車の車内に送信し、車室内の物体からの反射波を受信し、受信した反射波の周波数等に基づいて、車室内で動く侵入者を検知する技術が開示されている。
【０００９】
しかしながら、この技術は、室内灯目掛けて車室内に侵入してきた虫が人侵入検知センサの近傍で動き回ることを防止する技術ではなく、虫が車室内に侵入してきた場合にはその虫に対処することができない。
【特許文献１】特開２００７−２０３８９４号公報
【発明の開示】
【発明が解決しようとする課題】
【００１０】
本発明は、このような実情に鑑みてなされたもので、オーバーヘッドモジュールに設けられた室内灯目掛けて車内に虫が侵入した場合であっても、その虫がオーバーヘッドモジュール内に侵入して人侵入検知センサが誤動作するのを防止することができるオーバーヘッドモジュールおよびオーバーヘッドモジュール本体の提供を目的とする。
【課題を解決するための手段】
【００１１】
本発明に係るオーバーヘッドモジュールは、
自動車の車室内の動く物体を検知する人侵入検知センサを内部に備えたオーバーヘッドモジュールであって、
上記人侵入検知センサの検知領域側部分を覆う部分が、虫忌避剤または殺虫剤を含有する合成樹脂で成型されている。
【００１２】
本発明によれば、人侵入検知センサの検知領域側部分を覆う部分が、虫忌避剤または殺虫剤を含有する合成樹脂で成型されているので、人侵入検知センサの検知領域側部分と当該部分を覆う部分との間の空間に虫が侵入するのが防止される。また、例え当該空間に虫が侵入しても、虫忌避剤または殺虫剤によって虫の動きが封じられる。従って、人侵入検知センサは、動く虫を検知して人が侵入したと誤判断することがない。
【００１３】
本発明においては、
上記検知領域側部分と当該部分を覆う部分の間に空間が形成され、当該空間への虫の侵入経路に面する部分が、虫忌避剤または殺虫剤を含有する合成樹脂で成型されていることが好ましい。
【００１４】
この構成によれば、上記空間への虫の侵入がより確実に防止される。
【００１５】
本発明に係るオーバーヘッドモジュール本体は、
自動車の車室内に設けられるオーバーヘッドモジュールを構成し、上記車室内の動く物体を検知する人侵入検知センサを収容保持するための収容部を備えたオーバーヘッドモジュール本体であって、
上記収容部は、上記人侵入検知センサの検知領域側部分を覆う部分が、虫忌避剤または殺虫剤を含有する合成樹脂で成型されていることを特徴とする。
【００１６】
本発明によれば、人侵入検知センサの検知領域側部分を覆う部分が、虫忌避剤または殺虫剤を含有する合成樹脂で成型されているので、人侵入検知センサの検知領域側部分と当該部分を覆う部分との間の空間に虫が侵入するのが防止される。また、例え当該空間に虫が侵入しても、虫忌避剤または殺虫剤によって虫の動きが封じられる。従って、人侵入検知センサは、動く虫を検知して人が侵入したと誤判断することがない。
【００１７】
本発明においては、
上記検知領域側部分と当該部分を覆う部分の間に空間が形成され、当該空間への虫の侵入経路に面する部分が、虫忌避剤または殺虫剤を含有する合成樹脂で成型されていることが好ましい。
【００１８】
この構成によれば、上記空間への虫の侵入がより確実に防止される。
【発明の効果】
【００１９】
本発明によれば、オーバーヘッドモジュールに設けられた室内灯目掛けて車室内に虫が侵入した場合であっても、その虫がオーバーヘッドモジュール内に侵入して人侵入検知センサが誤動作するのを防止することができる。
【発明を実施するための最良の形態】
【００２０】
（第１実施形態）
本発明の第１実施形態に係る虫侵入防止装置について、図面を参照しつつ説明する。
図１は、第１実施形態に係るオーバーヘッドモジュールを示す斜視図である。図２は、図１におけるオーバーヘッドモジュールをＡ−Ａ線で切断したときの端面をＢ方向から見た矢視図である。
【００２１】
第１実施形態に係るオーバーヘッドモジュール１は、自動車の車室内の動く物体を検知する人侵入検知センサ３を内部に備えたオーバーヘッドモジュールである。符号１８はルームミラーを示し、符号１９はサンバイザーを示している。オーバーヘッドモジュール１は、室内側の天井面に設けられ、例えばルームミラー１８の直ぐ後ろに位置する。
【００２２】
オーバーヘッドモジュール１は、人侵入検知センサ３と、人侵入検知センサ３および室内灯２を収容保持するとともにユーザの操作によって室内灯２を点灯するオーバーヘッドモジュール本体４とを備えている。
【００２３】
人侵入検知センサ３は、オーバーヘッドモジュール１の前後方向中央部に内蔵されており、検知領域側部分６（図２参照）を斜め下方に向けて配置されている。検知領域側部分６からは電波または超音波が放射される。人侵入検知センサ３は駐車中に作動する。人侵入検知センサ３は、電波または超音波を車室内に放射し、車室内の物体からの反射波の周波数や位相等に基づいて、車室内で動く物体を検知する。通常、ユーザが居ない駐車中は、車室内に動く物体は存在しない。よって、駐車中に動く物体が検知されれば、人侵入検知センサ３は人が侵入したと判断し、警報音を出すか或いはセキュリティセンターに通報する。
【００２４】
オーバーヘッドモジュール本体４は、収容部５と、室内灯２と、小物入れ１５と、室内灯操作ボタン１６とを含む。
【００２５】
収容部５は、人侵入検知センサ３および室内灯２を収容保持する。人侵入検知センサ３の右隣および左隣に室内灯２が位置している。収容部５は、人侵入検知センサ３および室内灯２を保持する保持部７と、人侵入検知センサ３および室内灯２の下方においてこれらを覆うように設けられたレンズ１７とを有する。レンズ１７は、透明または半透明の合成樹脂部材であって、室内灯２の光の進行方向を調節するとともに、人侵入検知センサ３および室内灯２を保護する。レンズ１７は、人侵入検知センサ３から放射された電波および超音波を透過することができる。人侵入検知センサ３の検知領域側部分６とレンズ１７の間、および、室内灯２とレンズ１７の間には、空間８が形成されている。空間８は、室内灯２が発した熱を放熱するための開口部１１と連通している。虫は、主に開口部１１を通じて空間８に侵入する可能性がある（図２に示す経路９参照）。しかしながら、本実施形態ではこのような虫の侵入が防止される。
【００２６】
収容部５において、人侵入検知センサ３の検知領域側部分６を覆う部分は、虫忌避剤または殺虫剤を含有する合成樹脂で成型されている。図１、２に示される例では、レンズ１７が、人侵入検知センサ３の検知領域側部分６を覆う部分に相当する。殺虫剤としては、例えばピレスロイド系の殺虫剤を好適に用いることができる。
【００２７】
レンズ１７が、虫忌避剤または殺虫剤を含有する合成樹脂で成型されることにより、空間８に虫が侵入することが防止される。また、例え空間８に虫が侵入しても、虫忌避剤または殺虫剤によって虫の動きが封じられる。従って、人侵入検知センサ３は、動く虫を検知して人が侵入したと誤判断することがない。
【００２８】
また、第１実施形態では、オーバーヘッドモジュール本体４において空間８への虫の侵入経路９に面する部分が、虫忌避剤または殺虫剤を含有する合成樹脂で成型されている。
【００２９】
侵入経路９に面する部分が、虫忌避剤または殺虫剤を含有する合成樹脂で成型されることにより、空間８に虫が侵入することがより確実に防止される。
【００３０】
なお、第１実施形態では、オーバーヘッドモジュール本体４の他の部分も、虫忌避剤または殺虫剤を含有する合成樹脂で成型されてもよい。
【００３１】
また、第１実施形態では、人侵入検知センサ３の検知領域側部分６が、虫忌避剤または殺虫剤を含有する合成樹脂で成型されてもよい。
【００３２】
また、図２に示される例では、人侵入検知センサ３の検知領域側部分６は透明または半透明のレンズ１７で覆われているが、以下のように構成してもよい。例えば、検知領域側部分６を覆う部分を不透明の合成樹脂部材で構成してもよい。これにより、人侵入検知センサ３は侵入者にその存在を気付かれずに済む。但し、この場合においても、室内灯２は透明または半透明のレンズで覆われる。
【産業上の利用可能性】
【００３３】
本発明は、人侵入検知センサが設けられたオーバーヘッドモジュール内に虫が侵入するのを防止するオーバーヘッドモジュールおよびオーバーヘッドモジュール本体等に利用可能である。
【図面の簡単な説明】
【００３４】
【図１】第１実施形態に係るオーバーヘッドモジュールを示す斜視図
【図２】図１におけるオーバーヘッドモジュールをＡ−Ａ線で切断したときの端面をＢ方向から見た矢視図
【図３】従来のオーバーヘッドモジュールを示す斜視図
【図４】図３におけるオーバーヘッドモジュールをＡ−Ａ線で切断したときの端面をＢ方向から見た矢視図
【符号の説明】
【００３５】
１    オーバーヘッドモジュール
２    室内灯
３    人侵入検知センサ
４    オーバーヘッドモジュール本体
５    収容部
６    検知領域側部分
７    保持部
８    空間
９    虫が侵入する可能性のある経路
１１    開口部
１５    小物入れ
１６    室内灯操作ボタン
１７    レンズ
【図１】
2009274624.tif 000003
【図２】
2009274624.tif 000004
【図３】
2009274624.tif 000005
【図４】
2009274624.tif 000006